(57)【要約】【課題】ユーザーによるコンテンツ再生操作を簡単にする。【解決手段】少なくとも１つの別のコンテンツ再生機器およびコンテンツ記憶機器にネットワーク８０を介して接続されたコンテンツ再生機器２０であって、前記コンテンツ記憶機器からコンテンツを取得して、取得された当該コンテンツを再生するコンテンツ再生処理部２１と、ユーザーにより操作可能に構成され、再生すべきコンテンツの選択を受け付ける操作入力部１０と、前記コンテンツ記憶機器から選択されたコンテンツの種別情報を取得し、当該コンテンツの種別に対応するコンテンツ再生機器をネットワーク８０接続されたコンテンツ再生機器の中から選定し、選定されたコンテンツ再生機器にコンテンツの再生を指令する制御部２３と、を備える。【選択図】図２
2008135985.tif 000002
【特許請求の範囲】
【請求項１】
少なくとも１つの別のコンテンツ再生機器およびコンテンツ記憶機器にネットワークを介して接続されたコンテンツ再生機器であって、
前記コンテンツ記憶機器からコンテンツを取得して、取得された当該コンテンツを再生するコンテンツ再生処理部と、
ユーザーにより操作可能に構成され、再生すべきコンテンツの選択を受け付ける操作部と、
前記コンテンツ記憶機器から選択されたコンテンツの種別情報を取得し、当該コンテンツの種別に対応するコンテンツ再生機器をネットワーク接続されたコンテンツ再生機器の中から選定し、選定されたコンテンツ再生機器にコンテンツの再生を指令する制御部と、
を有することを特徴とするコンテンツ再生機器。
【請求項２】
前記制御部は、前記コンテンツ記憶機器から取得したコンテンツ種別情報が複数ある場合には、コンテンツの種別の各々に対応するコンテンツ再生機器をネットワーク接続されたコンテンツ再生機器の中から選定し、選定されたコンテンツ再生機器の各々に、対応する種別のコンテンツの再生を指令することを特徴とする請求項１に記載のコンテンツ再生機器。
【請求項３】
前記制御部は、前記コンテンツ記憶機器からコンテンツ種別情報に併せてそのコンテンツのフォーマット情報を取得し、コンテンツの種別およびフォーマットに対応するコンテンツ再生機器を、ネットワーク接続されたコンテンツ再生機器の中から選定し、選定されたコンテンツ再生機器にコンテンツの再生を指令することを特徴とする請求項１に記載のコンテンツ再生機器。
【請求項４】
前記制御部は、前記再生を指令するとともに再生開始時刻情報を送信し、前記機器選定機能により選定された複数のコンテンツ再生機器に再生開始時刻からコンテンツの再生を開始させることを特徴とする請求項３に記載のコンテンツ再生機器。
【請求項５】
前記制御部は、前記コンテンツ記憶機器からコンテンツ種別情報に併せてそのコンテンツのアングル情報を取得し、コンテンツの種別およびアングルに対応するコンテンツ再生機器を、ネットワーク接続されたコンテンツ再生機器の中から選定し、選定されたコンテンツ再生機器にコンテンツの再生を指令することを特徴とする請求項１に記載のコンテンツ再生機器。
【請求項６】
前記制御部は、前記選択されたコンテンツが文字コンテンツを含む場合には、文字コンテンツに対応するコンテンツ再生機器を、ネットワークに接続されたコンテンツ再生機器の中から選定し、選定されたコンテンツ再生機器に文字コンテンツの記録を指令することを特徴とする請求項１に記載のコンテンツ再生機器。
【請求項７】
前記制御部は、前記選択されたコンテンツが画像コンテンツを含む場合には、画像コンテンツに対応するコンテンツ再生機器を、ネットワークに接続されたコンテンツ再生機器の中から選定し、選定されたコンテンツ再生機器に、画像コンテンツの一定時間ごとの表示を指令することを特徴とする請求項１に記載のコンテンツ再生機器。
【請求項８】
前記制御部は、前記選択されたコンテンツが音楽コンテンツを含む場合には、音楽コンテンツに対応するコンテンツ再生機器を、ネットワークに接続されたコンテンツ再生機器の中から選定し、選定されたコンテンツ再生機器に、音楽コンテンツの再生を指令することを特徴とする請求項７に記載のコンテンツ再生機器。
【請求項９】
前記操作部は、コンテンツ再生機器の本体とは別体として構成されるコントロールポイントであることを特徴とする請求項１に記載のコンテンツ再生機器。
【請求項１０】
複数種別のコンテンツ再生機器およびコンテンツ記憶機器がネットワークを介して互いに接続されたコンテンツ再生システムを制御するためのコンテンツ再生制御装置であって、
ユーザーにより選択されたコンテンツの種別情報を取得するコンテンツ情報取得手段と、
前記コンテンツ情報取得手段により取得されたコンテンツ種別情報に対応するコンテンツ再生機器を、ネットワーク接続されたコンテンツ再生機器の中から選定する再生機器選定手段と、
前記再生機器選定手段により選定されたコンテンツ再生機器に、ユーザーにより選択されたコンテンツの再生を指令するコンテンツ再生指令手段と、
を備えることを特徴とするコンテンツ再生システムのコンテンツ再生制御装置。
【請求項１１】
複数種別のコンテンツ再生機器およびコンテンツ記憶機器がネットワークを介して互いに接続されたコンテンツ再生システムにおけるコンテンツ再生方法であって、
ユーザーにより選択されたコンテンツの種別情報を取得するコンテンツ情報取得ステップと、
取得されたコンテンツ種別情報に対応するコンテンツ再生機器を、ネットワーク接続されたコンテンツ再生機器の中から選定する再生機器選定ステップと、
選定されたコンテンツ再生機器に、ユーザーにより選択されたコンテンツの再生を指令するコンテンツ再生指令ステップと、
を含むコンテンツ再生方法。
【発明の詳細な説明】
【技術分野】
【０００１】
本発明は、複数種別のコンテンツ再生機器およびコンテンツ記憶装置がネットワークを介して互いに接続されたコンテンツ再生システムにおける、コンテンツ再生機器、コンテンツ再生制御装置、およびコンテンツ再生方法に関する。
【背景技術】
【０００２】
近年、映像コンテンツや音楽コンテンツなどを再生するためのオーディオ・ビジュアルシステム（以下、ＡＶシステムと呼ぶ）として、ホームネットワークが構築されるようになってきている。このＡＶシステムでは、各種コンテンツが記憶されるコンテンツ記憶機器、コンテンツを再生するコンテンツ再生機器などがネットワークを介して互いに接続されている。
【０００３】
このようなＡＶシステムの一例が、従来文献（特許文献１）に記載されている。この従来文献のＡＶシステムでは、家庭内の複数の位置に映像再生機器が配置されており、ユーザーが携帯端末を用いて映像表示を指示すると、その携帯端末の位置が検出された後に、その携帯端末の位置に近い映像再生機器に映像コンテンツが配信されて、その映像再生機器により映像表示が行われる。
【特許文献１】特開２００２−４９５５６号公報
【発明の開示】
【発明が解決しようとする課題】
【０００４】
ＡＶシステムが拡張された結果、ＡＶシステムにはテレビジョン装置やスピーカなどの複数種類のコンテンツ再生機器が接続される場合がある。また、再生されるコンテンツの種類は様々であり、コンテンツ再生機器の種別によって再生可能なコンテンツは異なる。このようにコンテンツ再生機器やコンテンツの種類が様々である状況では、ユーザーによるコンテンツの再生操作が困難になってしまうおそれがある。
【０００５】
本発明は、上記の課題を解決するためになされたもので、ユーザーによるコンテンツ再生操作を簡単にすることが可能なコンテンツ再生機器、コンテンツ再生制御装置、およびコンテンツ再生方法を提供することを目的とする。
【課題を解決するための手段】
【０００６】
上述した目的を達成するために、本発明に係るコンテンツ再生機器は、少なくとも１つの別のコンテンツ再生機器およびコンテンツ記憶機器にネットワークを介して接続されたコンテンツ再生機器であって、コンテンツ記憶機器からコンテンツを取得して、取得された当該コンテンツを再生するコンテンツ再生処理部と、ユーザーにより操作可能に構成され、再生すべきコンテンツの選択を受け付ける操作部と、コンテンツ記憶機器から選択されたコンテンツの種別情報を取得し、当該コンテンツの種別に対応するコンテンツ再生機器をネットワーク接続されたコンテンツ再生機器の中から選定し、選定されたコンテンツ再生機器にコンテンツの再生を指令する制御部と、を備えることを特徴とする。
【０００７】
また、本発明に係るコンテンツ再生制御装置は、複数種別のコンテンツ再生機器およびコンテンツ記憶機器がネットワークを介して互いに接続されたコンテンツ再生システムを制御するためのコンテンツ再生制御装置であって、ユーザーにより選択されたコンテンツの種別情報を取得するコンテンツ情報取得手段と、コンテンツ情報取得手段により取得されたコンテンツ種別情報に対応するコンテンツ再生機器を、ネットワーク接続されたコンテンツ再生機器の中から選定する再生機器選定手段と、再生機器選定手段により選定されたコンテンツ再生機器に、ユーザーにより選択されたコンテンツの再生を指令するコンテンツ再生指令手段と、を備えることを特徴とする。
【０００８】
また、本発明に係るコンテンツ再生方法は、複数種別のコンテンツ再生機器およびコンテンツ記憶機器がネットワークを介して互いに接続されたコンテンツ再生システムにおけるコンテンツ再生方法であって、ユーザーにより選択されたコンテンツの種別情報を取得するコンテンツ情報取得ステップと、取得されたコンテンツ種別情報に対応するコンテンツ再生機器を、ネットワーク接続されたコンテンツ再生機器の中から選定する再生機器選定ステップと、選定されたコンテンツ再生機器に、ユーザーにより選択されたコンテンツの再生を指令するコンテンツ再生指令ステップと、を含む。
【発明の効果】
【０００９】
本発明は、ユーザーによるコンテンツ再生操作を簡単にすることが可能なコンテンツ再生システムのコンテンツ再生機器、コンテンツ再生システムの制御装置、およびコンテンツ再生方法を提供することができる。
【発明を実施するための最良の形態】
【００１０】
以下、添付図面を参照して、本発明の好適な実施形態について詳細に説明する。なお、説明において、同一要素又は同一機能を有する要素には、同一符号を用いることとし、重複する説明は省略する。
【００１１】
図１には、本発明の実施形態に係るコンテンツ再生システム１の概要が示されている。コンテンツ再生システム１は、家庭内に用いられるホームネットワークであり、Ｅｔｈｅｒｎｅｔ（登録商標）や無線ＬＡＮ（Local Area Network）などのネットワーク８０を介して複数のオーディオ・ビジュアル機器（以下、ＡＶ機器と呼ぶ）が互いに接続されて構成されている。
【００１２】
コンテンツ再生システム１は、当該システムの動作を制御するためのリモートコントローラであるコントロールポイント１０と、映像コンテンツおよび音声コンテンツを再生可能なコンテンツ再生機器であるテレビジョン装置Ａ２０およびテレビジョン装置Ｂ３０と、音声コンテンツを再生可能なコンテンツ再生機器であるスピーカＡ４０，スピーカＢ５０およびスピーカＣ６０と、各種コンテンツを記憶しているコンテンツ記憶機器であるサーバ７０と、含んで構成されている。
【００１３】
図２には、本発明の実施形態に係るコンテンツ再生システム１の構成を示すブロック図が示されている。また、図３には、コンテンツ再生機器の仕様の一覧表が示されている。
【００１４】
コントロールポイント１０は、ユーザーにより操作されて当該操作に応じた指示を取得するための操作入力部１１と、操作入力部１１により取得された指示に応じて動作指令を生成する制御部１２と、制御部により生成されたＡＶ機器２０〜７０に対する動作指令をテレビジョン装置Ａ２０に送信するための無線送信部１３と、を備えている。
【００１５】
テレビジョン装置Ａ２０は、映像コンテンツを再生するための映像表示部２１と、音声コンテンツを再生するための音声出力部２２と、テレビジョン装置Ａ２０の動作を制御するための制御部２３と、コントロールポイント１０からＡＶ機器２０〜７０に対する動作指令を受信するための無線受信部２４と、を備えている。図３に示されるように、テレビジョン装置Ａ２０の映像再生機能は、標準精細度（ＳＤ：Standard Definition）の映像および高精細度（ＨＤ：High Definition）に対応しており、さらにＭＰＥＧ２（Moving Picture Expert Group 2）に対応している。また、テレビジョン装置Ａ２０の音声再生機能は、モノラルおよびステレオに対応しており、さらにＬＰＣＭ（Linear Pulse Code Modulation）に対応している。
【００１６】
テレビジョン装置Ｂ３０は、映像コンテンツを再生するための映像表示部３１と、音声コンテンツを再生するための音声出力部３２と、テレビジョン装置Ｂ３０の動作を制御するための制御部３３と、を備えている。図３に示されるように、テレビジョン装置Ｂ３０の映像再生機能は、標準精細度ＳＤの映像に対応しており、さらにＭＰＥＧ４およびＭＰＥＧ２に対応している。また、テレビジョン装置Ｂ３０の音声再生機能は、モノラルに対応しており、さらにＬＰＣＭに対応している。
【００１７】
スピーカＡ４０は、音声コンテンツを再生するための音声出力部４１と、スピーカＡ４０の動作を制御するための制御部４２と、を備えている。図３に示されるように、スピーカＡ４０は、モノラル、ステレオ、５．１Ｃｈに対応しており、さらにＬＰＣＭ、ＡＡＣ（Advanced Audio Coding）に対応している。
【００１８】
スピーカＢ５０は、音声コンテンツを再生するための音声出力部５１と、スピーカＢ５０の動作を制御するための制御部５２と、を備えている。図３に示されるように、スピーカＢ５０は、モノラル、ステレオに対応しており、さらにＬＰＣＭに対応している。
【００１９】
スピーカＣ６０は、音声コンテンツを再生するための音声出力部６１と、スピーカＣ６０の動作を制御するための制御部６２と、を備えている。図３に示されるように、スピーカＣ６０は、モノラルに対応しており、さらにＬＰＣＭ、ＡＡＣ、ＭＰ３（MPEG Audio Layer-3）に対応している。
【００２０】
サーバ７０は、多数のコンテンツを記憶しているコンテンツ記憶部７１と、サーバ７０の動作を制御するための制御部７２と、を備えている。コンテンツ記憶部７１には、映像コンテンツ、音声コンテンツ、文字コンテンツなどの複数種類のコンテンツが記憶されている。また、コンテンツ記憶部７１には、図４に示されるコンテンツ一覧情報が記憶されている。
【００２１】
図４に示されるコンテンツ一覧情報には、コンテンツの番号、コンテンツの種別情報、コンテンツのフォーマット情報などのコンテンツの属性の一覧が記憶されている。コンテンツの種別情報とは、映像コンテンツ、音声コンテンツ、文字コンテンツなどを識別するための情報である。また、コンテンツのフォーマット情報とは、コンテンツをより詳細に識別するための情報であり、映像コンテンツであれば、ＳＤ、ＨＤ、ＭＰＥＧ２、ＭＰＥＧ４などの情報であり、音声コンテンツであれば、ＬＰＣＭ、ＡＡＣ、ＭＰ３などの情報である。なお、１つのコンテンツには、種別の異なる２つ以上のコンテンツが含まれる場合もあるし、同一の種別の２つ以上のコンテンツが含まれる場合もある。以下、このような２つ以上のコンテンツからなるコンテンツをコンテンツユニットと呼ぶ。
【００２２】
次に、上述したコンテンツ再生システム１によるコンテンツ再生処理について説明する。図５には、コントロールポイント１０による処理のフローチャートが示されている。
【００２３】
ステップ５０１において、コントロールポイント１０は、電源が入れられてネットワークに接続されたタイミングまたはその後のタイミングにおいて、ネットワーク８０に接続されたＡＶ機器２０〜７０との間で通信を行って、他のＡＶ機器２０〜７０の種別、仕様、ＩＰアドレスなどの情報を取得する（図３参照）。そして、ステップ５０２において、コントロールポイント１０は、他のＡＶ機器２０〜７０から取得した情報をメモリに記憶して登録する。
【００２４】
ステップ５０３において、コントロールポイント１０は、サーバ７０と通信を行ってサーバ７０の保有するコンテンツ一覧情報（タイトル名、種別情報、フォーマット情報等を含む）を取得し、コンテンツのタイトル名の一覧をモニタに表示させる指令をテレビジョン装置Ａ２０に送信する。これにより、テレビジョン装置Ａ２０のモニタにコンテンツのタイトル名の一覧が表示され、ユーザーがコンテンツを検索可能な状態となる。
【００２５】
ステップ５０４において、ユーザーがコントロールポイント１０を操作することによりいずれか１つのコンテンツを選択すると、コントロールポイント１０は、コンテンツ一覧情報からユーザーにより選択されたコンテンツの種別情報およびフォーマット情報を抽出する。
【００２６】
ステップ５０５において、コントロールポイント１０は、ユーザーにより選択されたコンテンツを再生可能なコンテンツ再生機器を選定する。すなわち、コントロールポイント１０は、抽出された種別情報およびフォーマット情報に対応するコンテンツ再生機器を選定する。なお、ユーザーによりコンテンツユニットが選択された場合には、このコンテンツユニットに含まれるコンテンツごとに、コンテンツを再生可能なコンテンツ再生機器を選定する。
【００２７】
ステップ５０６において、コントロールポイント１０は、選定されたコンテンツ再生機器の各々に、再生するコンテンツのコンテンツ番号、再生開始時刻情報などを含む再生情報を送信して、サーバ７０からそのコンテンツ番号のコンテンツを取得させる。続いてステップ５０７において、コントロールポイント１０は、ユーザーがコントロールポイント１０を操作してコンテンツの処理方法を入力すると、コントロールポイント１０は、その処理方法に応じた指令を、選定されたコンテンツ再生機器の各々に送信する。より具体的には、コントロールポイント１０は、ユーザーにより入力された処理方法がコンテンツの再生処理であれば再生要求を送信し（Ｓ５０８）、再生中断処理であれば中断要求を送信し（Ｓ５０９）、再生再開処理であれば再生再開要求を送信し（Ｓ５１０）、再生停止処理であれば停止要求を送信する（Ｓ５１１）。
【００２８】
ステップ５１２において、ユーザーがコントロールポイント１０を操作した場合には、コントロールポイント１０による処理はステップ５０３に戻ってコンテンツを検索したり、ステップ５０６に戻って再生情報をコンテンツ再生機器に送信したりする。一方、ユーザーがコントロールポイント１０を操作せずに電源をオフにした場合には、コントロールポイント１０の処理は終了する。
【００２９】
次に、上記に説明したコントロールポイント１０の処理に応じて、コンテンツ再生機器２０〜６０が行う処理について説明する。図６には、コンテンツ再生機器による処理のフローチャートが示されている。
【００３０】
ステップ６０１において、コンテンツ再生機器の制御部は、電源が入れられてネットワークに接続されたタイミングまたはその後のタイミングにおいて、コンテンツ再生機器の初期化を行う。ここで、ネットワーク８０に接続された複数のコンテンツ再生機器は、ＮＴＰ（Network Time Protocol）等のプロトコルを用いて互いに時計を合わせる。
【００３１】
ステップ６０２において、コンテンツ再生機器の制御部は、コントロールポイント１０からの再生情報の受信のために待機し、再生情報が到来すると受信する。続いて、ステップ６０３において、コンテンツ再生機器の制御部は、コントロールポイント１０から処理方法情報（再生要求、中断要求、再生再開要求、停止要求）を受信する。
【００３２】
ステップ６０４において、コンテンツ再生機器の制御部は、処理方法情報により特定される処理方法を判別して、その処理方法に応じた処理に移行する。ステップ６０５〜ステップ６０８は、コンテンツの再生処理であり、ステップ６０９〜ステップ６１１は、コンテンツ再生の中断処理であり、ステップ６１２〜ステップ６１５は、コンテンツ再生の再開処理であり、ステップ６１６〜ステップ６１７は、コンテンツ再生の停止処理である。
【００３３】
ステップ６０９〜ステップ６１１のコンテンツの再生処理では、コンテンツ再生機器の制御部は、コンテンツの取得先であるサーバ７０のＩＰアドレスを確認し（Ｓ６０５）、特定のコンテンツ番号のコンテンツの配信を要求する指令をサーバ７０に送信し、コンテンツの取得を開始する（Ｓ６０６）。そして、コンテンツ再生機器の制御部は、内部に有する時計が再生開始時刻になったら、コンテンツの再生を開始するように設定し（Ｓ６０７）、再生開始時刻になったらコンテンツの再生を開始する（Ｓ６０８）。
【００３４】
ステップ６０９〜ステップ６１１のコンテンツ再生の中断処理では、コンテンツ再生機器の制御部は、再生中のコンテンツの中断位置の情報をメモリに記録してから（Ｓ６０９）、サーバ７０からのコンテンツの取得を中止し（Ｓ６１０）、コンテンツ再生を中断する（Ｓ６１１）。なお、上記の中断処理では、中断位置情報をコンテンツ再生機器の制御部に記録しているが、中断位置情報はコントロールポイント１０の制御部に記録されてもよい。
【００３５】
ステップ６１２〜ステップ６１５のコンテンツ再生の再開処理では、コンテンツ再生機器の制御部は、再生が中断されたコンテンツの中断位置情報をメモリから読み出して取得し（Ｓ６１２）、そのコンテンツの中断位置からコンテンツの取得を開始するとともに（Ｓ６１３）、再生開始時刻設定する（Ｓ６１４）、再生開始時刻になるとコンテンツの再生を再開する（Ｓ６１５）。なお、この中断処理において、コンテンツ再生を中断した別のコンテンツ再生機器が複数ある場合には、その別のコンテンツ再生機器と共通する再生開始時刻を設定する。なお、上記の中断処理において、中断位置情報がコントロールポイント１０の制御部に記録されている場合には、コンテンツ再生機器の制御部はコントロールポイント１０から中断位置情報を取得する。
【００３６】
ステップ６１６〜ステップ６１７のコンテンツ再生の停止処理では、コンテンツ再生機器の制御部は、サーバ７０からのコンテンツの取得を中止し（Ｓ６１６）、コンテンツの再生を停止する（Ｓ６１７）。
【００３７】
ステップ６１８〜ステップ６２０は、コンテンツ再生機器の時間同期処理である。複数のコンテンツ再生機器における時間同期処理は、一定時間（例えば３０秒）間隔で行われる。コンテンツ再生機器の制御部は、コンテンツ再生開始時またはコンテンツ再生途中におけるある指定時刻に対するコンテンツの再生位置のずれが基準値以上である場合には、コンテンツの再生開始時刻を調整することでコンテンツ再生機器間で時間同期させてから、再生開始時刻を設定する。一方、ある指定時刻に対するコンテンツの再生位置のずれが基準値以下である場合には、コンテンツ再生機器の制御部は、コンテンツ再生機器間で時間同期させることなく、再生開始時刻を設定する。
【００３８】
なお、以上に説明したコントロールポイント１０、コンテンツ再生機器、コンテンツ記憶機器の処理の概略的なシーケンスが図７に示されており、コンテンツ再生機器がテレビジョン装置およびスピーカである場合のシーケンスが図８に示されている。図７および図８では、テレビジョン装置およびスピーカの数は少ないが、実際にはより多くのコンテンツ再生機器が存在している。
【００３９】
図９〜図１１には、コンテンツ再生システム１の使用例が示されている。
図９に示されるコンテンツ再生システム１の使用例では、図４に示されるコンテンツ番号１のコンテンツが再生される。コンテンツ番号１のコンテンツは、映像コンテンツおよび音声コンテンツを含んでおり、映像コンテンツのフォーマットはＭＰＥＧ２およびＨＤ（高精細度）であり、音声コンテンツのフォーマットはＬＰＣＭおよび５．１Ｃｈである。そこで、このコンテンツ再生システム１では、映像コンテンツを再生するための機器としてテレビジョン装置Ａ２０が選択されており、音声コンテンツを再生するための機器としてスピーカＡ４０が選択されている。
【００４０】
図１０に示されるコンテンツ再生システム１の使用例では、図４に示されるコンテンツ番号２のコンテンツが再生される。コンテンツ番号２のコンテンツは、映像コンテンツおよび音声コンテンツを含んでおり、映像コンテンツのフォーマットはＭＰＥＧ４およびＳＤ（標準精細度）であり、音声コンテンツのフォーマットはＡＡＣおよびステレオである。そこで、このコンテンツ再生システム１では、映像コンテンツを再生するための機器としてテレビジョン装置Ｂ３０が選択されており、音声コンテンツを再生するための機器としてスピーカＢ５０が選択されている。
【００４１】
図１１に示されるコンテンツ再生システム１の使用例では、図４に示されるコンテンツ番号３のコンテンツが再生される。コンテンツ番号３のコンテンツは、映像コンテンツおよび音声コンテンツを含んでおり、映像コンテンツのフォーマットはＭＰＥＧ２およびＨＤ（高精細度）であり、音声コンテンツのフォーマットはＭＰ３およびモノラルである。そこで、このコンテンツ再生システム１では、映像コンテンツを再生するための機器としてテレビジョン装置Ａ２０が選択されており、音声コンテンツを再生するための機器としてスピーカＣ６０が選択されている。
【００４２】
上述した実施形態のコンテンツ再生システム１によれば、複数の種別のコンテンツからなるコンテンツユニットを再生する場合に、ユーザーはコントロールポイント１０を用いて単純な操作を行うのみで、コンテンツ再生システム１内で各コンテンツの種別およびフォーマットと各コンテンツ再生機器の仕様とが対比され、各コンテンツを再生するために最適なコンテンツ再生機器が選択される。よって、選択された複数のコンテンツ再生機器が連携することで、１つのコンテンツユニットを好適に再生することができる。
【００４３】
次に、図１２〜図１４を参照して、上述した実施形態のコンテンツ再生システム１の変形例について説明する。
【００４４】
図１２に示されるコンテンツ再生システム１の第１変形例では、図４に示されるコンテンツ番号４のコンテンツが再生される。コンテンツ番号４のコンテンツは、２つの映像コンテンツを含んでいる。一番目の映像コンテンツは例えば映画であり、付加情報としてメインのアングル１が設定されている。また、二番目の映像コンテンツは例えばその映画の解説であり、付加情報としてサブのアングル２が設定されている。一方、コンテンツ再生システム１では、メインアングルの映像を表示するための機器としてテレビジョン装置Ａ２０が設定されており、サブアングルの映像を表示するための機器としてテレビジョン装置Ｂ３０が設定されている。
【００４５】
図５のステップ５０２において、テレビジョン装置のアングルの情報は、機器情報としてコントロールポイント１０の制御部に登録される。ステップ５０５において、コントロールポイント１０の制御部は、一番目の映像コンテンツを再生するための機器としてメインアングルに対応するテレビジョン装置Ａ２０を選定し、二番目の映像コンテンツを再生するための機器としてサブアングルに対応するテレビジョン装置Ｂ３０を選定する。そして、ステップ５０８〜５１１において、コントロールポイント１０の制御部は、テレビジョン装置Ａ２０に一番目の映像コンテンツの再生要求情報を送信し、テレビジョン装置Ｂ３０に二番目の映像コンテンツの再生要求情報を送信する。上述した処理により、コンテンツ再生システム１の第１変形例では、一番目の映像コンテンツがテレビジョン装置Ａ２０で再生され、二番目の映像コンテンツがテレビジョン装置Ｂ３０で再生される。
【００４６】
図１３に示されるコンテンツ再生システム１の第２変形例では、図４に示されるコンテンツ番号５のコンテンツが再生される。コンテンツ番号５のコンテンツは、映像コンテンツおよび文字コンテンツを含んでおり、映像コンテンツは例えば映画であり、文字コンテンツは例えばそのメタ情報である。一方、コンテンツ再生システム１には、映像コンテンツを再生可能なテレビジョン装置Ａ２０に加えて、さらに文字コンテンツを記録可能なパーソナルコンピュータ（ＰＣ）９０が含まれている。
【００４７】
図５のステップ５０５において、コントロールポイント１０の制御部は、映像コンテンツを再生するための機器としてテレビジョン装置Ａ２０を選定し、文字コンテンツを記録するための機器としてパーソナルコンピュータを選定する。そして、ステップ５０８〜５１１において、コントロールポイント１０の制御部は、テレビジョン装置Ａ２０に映像コンテンツの再生要求情報を送信し、パーソナルコンピュータに文字コンテンツの記録要求情報を送信する。上述した処理により、コンテンツ再生システム１の第２変形例では、映像コンテンツがテレビジョン装置Ａ２０で再生され、文字コンテンツがパーソナルコンピュータで記録されて収集される。
【００４８】
図１４に示されるコンテンツ再生システム１の第３変形例では、図４に示されるコンテンツ番号６のコンテンツが再生される。コンテンツ番号６のコンテンツは、画像コンテンツおよび音声コンテンツを含んでいる。画像コンテンツは例えば写真集であり、複数の画像データを含んでいる。また、音声コンテンツは例えば音楽である。
【００４９】
図５のステップ５０５において、コントロールポイント１０の制御部は、画像コンテンツを再生するための機器としてテレビジョン装置Ａ２０を選定し、音声コンテンツを再生するための機器としてスピーカＡ４０を選定する。そして、ステップ５０８〜５１１において、コントロールポイント１０の制御部は、テレビジョン装置Ａ２０に画像コンテンツの再生要求情報を送信し、スピーカＡ４０に音声コンテンツの再生要求情報を送信する。上述した処理により、コンテンツ再生システム１の第３変形例では、画像コンテンツがテレビジョン装置Ａ２０でスライドショーのように一定時間ごとに再生され、音声コンテンツがスピーカＡ４０で再生されて音楽が流される。
【００５０】
上述した変形例のコンテンツ再生システム１によれば、同一または複数の種別のコンテンツからなるコンテンツユニットを再生等する場合に、ユーザーはコントロールポイント１０を用いて単純な操作を行うのみで、コンテンツ再生システム１内で各コンテンツの種別およびフォーマットと各コンテンツ再生機器の仕様とが対比され、各コンテンツを再生するために最適なコンテンツ再生機器が選択される。よって、選択された複数のコンテンツ再生機器が連携することで、１つのコンテンツユニットを好適に再生等することができる。
【００５１】
なお、上述した実施形態では、コントロールポイント１０が、コンテンツ再生システム１を制御するためのコンテンツ再生制御装置となっているが、他の実施形態では、コンテンツ再生機器２０〜６０の制御部が、コンテンツ再生システム１を制御するためのコンテンツ再生制御装置となり、コントロールポイント１０と同様な処理を行ってもよい。
【図面の簡単な説明】
【００５２】
【図１】本発明の実施形態に係るコンテンツ再生システムの概略図である。
【図２】本発明の実施形態に係るコンテンツ再生システムのブロック図である。
【図３】コンテンツ再生機器の仕様を示す表である。
【図４】コンテンツ一覧情報を示す表である。
【図５】コントロールポイントによる処理のフローチャートである。
【図６】コンテンツ再生機器による処理のフローチャートである。
【図７】コントロールポイント、コンテンツ再生機器、コンテンツ記憶機器の処理の概略的なシーケンス図である。
【図８】コンテンツ再生機器がテレビジョン装置およびスピーカである場合のシーケンス図である。
【図９】コンテンツ再生システムの第１使用例を示す図である。
【図１０】コンテンツ再生システムの第２使用例を示す図である。
【図１１】コンテンツ再生システムの第３使用例を示す図である。
【図１２】コンテンツ再生システムの第１変形例を示す図である。
【図１３】コンテンツ再生システムの第２変形例を示す図である。
【図１４】コンテンツ再生システムの第３変形例を示す図である。
【符号の説明】
【００５３】
１…コンテンツ再生システム、１０…コントロールポイント、２０，３０…テレビジョン装置、４０，５０，６０…スピーカ、７０…サーバ、８０…ネットワーク。
【図１】
2008135985.tif 000003
【図２】
2008135985.tif 000004
【図３】
2008135985.tif 000005
【図４】
2008135985.tif 000006
【図５】
2008135985.tif 000007
【図６】
2008135985.tif 000008
【図７】
2008135985.tif 000009
【図８】
2008135985.tif 000010
【図９】
2008135985.tif 000011
【図１０】
2008135985.tif 000012
【図１１】
2008135985.tif 000013
【図１２】
2008135985.tif 000014
【図１３】
2008135985.tif 000015
【図１４】
2008135985.tif 000016